(57)【要約】【課題】再生装置のユーザに、実質的に常に同じフィルム・オーバービュー再生時間の間に、格納されているフィルム内容のオーバービューを与えること。【解決手段】格納されているフィルム・シーン（Ｓ）を再生する再生装置（１）は、再生装置（１）のオーバービュー再生モードで、フィルム再生時間（ＴＷ１、ＴＷ２）の間、通常の再生速度で再生可能な、フィルムのオーディオ／ビデオ・データ（ＡＶＤ）の格納のためのランダム・アクセス・メモリ手段（８）と、格納されているフィルム（ＦＩ１、ＦＩ２）の少なくとも２個のシーン（Ｓ１〜Ｓ６、Ｓ７〜Ｓ１２）が、オーバービュー再生モードにおいて通常または高速再生速度で再生装置（１）によって連続して再生され、かつ２個のシーン（Ｓ１〜Ｓ６、Ｓ７〜Ｓ１２）間にレコードされかつ通常の再生速度でスキップ再生時間間隔（ＴＺ１、ＴＺ２）の間で再生可能であるスキップ・シーン（ＵＳ）が、オーバービュー再生モードにおいて再生されない、再生装置（１）のオーバービュー再生モードを起動可能にするモード手段（４）と、かつ再生装置（１）のオーバービュー再生モードにおいて、シーン再生時間（ＴＳ）の間、シーン開始ポジション（ＳＢＩ）からシーン終了ポジション（ＳＥＩ）に通常の再生速度でフィルムの格納されたオーディオ／ビデオ・データ（ＡＶＤ）を再生するように構成される再生手段（９）とを有し、さらに、シーン規定手段（１４）によって格納されているフィルム（ＦＩ１、ＦＩ２）に対して規定されたシーン再生時間（ＴＳ）の総和が、格納されているフィルム（ＦＩ１、ＦＩ２）のフィルム再生時間（ＴＷ１、ＴＷ２）が異なる場合にも、常に基本的に同じフィルム・オーバービュー再生時間間隔（ＴＵ）に一致するように、再生手段（９）によってオーバービュー再生モードにおいて再生すべき格納されているフィルムのシーン（Ｓ１〜Ｓ６、Ｓ７〜Ｓ１２）を独立して規定するシーン規定手段（１４）を有する。【選択図】図１
2004507986.tif 000002
【特許請求の範囲】
【請求項１】
格納されているフィルムのシーンを再生装置のオーバービュー再生モードで再生する再生装置であって、
フィルム再生時間の間、通常の再生速度で再生可能なフィルムのオーディオ／ビデオ・データの前記格納のためのランダム・アクセス・メモリ手段を有し、かつ
前記格納されているフィルムの少なくとも２個のシーンが、前記オーバービュー再生モードで前記再生装置によって前記通常または高速再生速度で連続して再生され、かつ２個のシーンの間にレコードされかつスキップ再生時間間隔の間前記通常の再生速度で再生可能であるスキップ・シーンが、前記オーバービュー再生モードにおいて再生されない、前記再生装置の前記オーバービュー再生モードを、起動可能にするモード手段を有し、かつ
前記再生装置の前記オーバービュー再生モードにおいて、前記フィルムの前記格納されているオーディオ／ビデオ・データを、シーン再生時間の間にシーン開始ポジションからシーン終了ポジションまで、前記通常の再生速度で再生するように構成されている再生手段を有し、かつ
前記シーン規定手段によって格納されているフィルムに対して規定されている前記シーン再生時間の前記総和が、前記格納されているフィルムのフィルム再生時間が異なる場合にも、常に前記同じフィルム・オーバービュー再生時間間隔に基本的に一致するように、前記オーバービュー再生モードにおいて前記再生手段によって再生すべき、格納されているフィルムの前記シーンを、独立して規定するシーン規定手段を有する再生装置。
【請求項２】
入力手段が、前記フィルム・オーバービュー再生時間間隔の前記手動データ入力のために設けられている、請求項１に記載の再生装置。
【請求項３】
前記シーン規定手段が、ある最小の再生時間より長いシーン再生時間を規定するように構成されている、請求項１に記載の再生装置。
【請求項４】
出力手段が、前記ランダム・アクセス・メモリ手段に格納される前記フィルムのタイトル情報を前記再生装置に接続可能な表示装置に供給するように構成され、前記モード手段が、前記再生装置のユーザによる、格納されているフィルムの前記タイトル情報の前記選択に応じて、前記再生装置の前記オーバービュー再生モードを起動させるように構成されていて、かつ前記再生手段が、前記選択されたタイトル情報に対応する、前記フィルムに対して前記シーン規定手段によって規定されたシーンを再生するように構成されている、請求項１に記載の再生装置。
【請求項５】
前記出力手段が、前記オーバービュー再生モードにおいて再生される前記シーンの前記フィルムの範囲内で前記ポジションに特有のシーン再生ポジション情報を提供するように構成されている、請求項１に記載の再生装置。
【請求項６】
コマーシャルによる中断検出手段が、前記格納されているオーディオ／ビデオ・データ内にコマーシャルによる中断を検出するように構成されていて、かつ前記シーン規定手段が、前記コマーシャルによる中断がスキップ・シーン内に現れるように、前記オーバービュー再生モードにおいて前記再生手段によって再生すべき前記シーンを独立して規定するように構成されている、請求項１に記載の再生装置。
【請求項７】
シーンの変化検出手段が、前記格納されているフィルム内のシーンの変化の前記検出を提供し、かつ前記オーバービュー再生モードにおいて前記再生手段によって再生すべき前記格納されているフィルムの前記シーンが、前記検出されたシーンの変化に依存して前記シーン規定手段によって規定される、請求項１に記載の再生装置。
【請求項８】
前記ランダム・アクセス・メモリ手段が、ハードディスクおよび／または光ディスクによって形成される、請求項１に記載の再生装置。
【請求項９】
前記オーバービュー再生方法を実行する再生装置のオーバービュー再生モードにおいて、格納されているフィルムのシーンを再生するオーバービュー再生方法であって、前記オーバービュー再生方法が、
− フィルムの格納されたオーディオ／ビデオ・データをフィルム再生時間の間、通常の再生速度で再生するステップと、
− 前記再生されるシーンの各々が、シーン再生時間の間、シーン開始ポジションからシーン終了ポジションまで再生され、かつ ２個のシーンの間にレコードされかつスキップ再生時間間隔の間で前記通常の再生速度で再生可能であるスキップ・シーンが、前記オーバービュー再生モードにおいて再生されない、前記再生装置が、前記オーバービュー再生モードである間、フィルム再生時間間隔の間、前記格納されているフィルムの少なくとも２個のシーンが前記通常または高速再生速度で連続して再生されるステップと、
− 格納されているフィルムに対して規定される前記シーン再生時間の前記総和が、前記格納されているフィルムのフィルム再生時間が異なる場合にも、常に前記同じフィルム・オーバービュー再生時間間隔に基本的に一致する、前記オーバービュー再生モードにおいて再生すべき格納されているフィルムの前記シーンを独立して規定するステップとを有するオーバービュー再生方法。
【請求項１０】
前記再生装置のユーザによって手動で入力される前記フィルム・オーバービュー再生時間間隔を処理する更なるステップを含む、請求項９に記載のオーバービュー再生方法。
【請求項１１】
− 前記格納されているフィルムのタイトル情報を前記再生装置に接続された表示装置に供給するステップと、
− 前記再生装置の前記オーバービュー再生モードを起動させ、かつ前記ユーザがこの格納されているフィルムの前記タイトル情報を選択した場合、１個の前記格納されているフィルムのうちの前記規定されたシーンを再生するステップとを、更に含む、請求項９に記載のオーバービュー再生方法。
【請求項１２】
− 前記格納されたオーディオ／ビデオ・データ内のコマーシャルによる中断を検出するステップと、
− 前記コマーシャルによる中断がスキップ・シーン内に現れるように、前記オーバービュー再生モードにおいて再生すべき前記シーンを独立して規定するステップとを、
更に含む、請求項９に記載のオーバービュー再生方法。
【請求項１３】
− 前記格納されているフィルム内にシーンの変化を検出するステップと、
− 前記オーバービュー再生モードにおいて再生すべき前記シーンを独立して規定する場合、検出されたシーンの変化を考慮するステップとを更に含む、請求項９に記載のオーバービュー再生方法。
【発明の詳細な説明】
【０００１】
【発明が属する技術分野】
本発明は、格納されているフィルムのシーンを再生装置のオーバービュー再生モードにおいて再生する再生装置であって、フィルム再生時間の間、通常の再生速度で再生可能なフィルムのオーディオ／ビデオ・データの前記格納のためのランダム・アクセス・メモリ手段を有し、前記格納されているフィルムの少なくとも２個のシーンが、前記オーバービュー再生モードにおいて前記再生装置によって前記通常または高速再生速度で連続して再生され、かつ２個のシーンの間にレコードされかつスキップ再生時間間隔の間で前記通常の再生速度で再生可能であるスキップ・シーンが、前記オーバービュー再生モードにおいて再生されない、前記再生装置の前記オーバービュー再生モードを起動可能にするモード手段を有し、かつ前記再生装置の前記オーバービュー再生モードにおいて、前記フィルムの前記格納されたオーディオ／ビデオ・データのシーン再生時間の間、シーン開始ポジションからシーン終了ポジションまで、前記通常の再生速度で再生するように構成された再生手段を有する、再生装置に関する。
【０００２】
本発明は、前記オーバービュー再生方法を実行する再生装置のオーバービュー再生モードにおいて、格納されているフィルムのシーンを再生するオーバービュー再生方法に関し、前記オーバービュー再生方法が、
‐フィルムの格納されているオーディオ／ビデオ・データを、フィルム再生時間の間、通常の再生速度で再生するステップと、
‐前記再生装置が、前記オーバービュー再生モードにある間、フィルム再生時間間隔の間で前記格納されているフィルムの少なくとも２個のシーンを、前記通常または高速再生速度で連続して再生するステップであって、前記再生されるシーンの各々が、シーン再生時間の間、シーン開始ポジションからシーン終了ポジションまで再生され、かつ ２個のシーンの間にレコードされかつスキップ再生時間間隔の間で前記通常の再生速度で再生可能なスキップ・シーンが、前記オーバービュー再生モードにおいて再生されない、ステップとを有する。
【０００３】
【従来の技術】
このような再生装置とこのようなオーバービュー再生方法は、公開公報ＥＰ ０ ７２４ ２１１ Ａ２から公知である。この公知の再生装置は、格納されているフィルムのシーンを再生するソフトウェアを、オーバービュー再生方法に従って、実行するコンピュータによって形成される。コンピュータ・サーバによって形成される大容量記憶装置は、多数のフィルムのオーディオ／ビデオ・データを格納する。
【０００４】
この公知のオーバービュー再生方法により、ユーザ（例えば、 ジャーナリスト）は、コンピュータ・サーバに格納されているフィルムの内容の迅速なオーバービューを得ることが出来る。このために、ユーザは、開始時点、シーン再生時間間隔、およびスキップ再生時間間隔を規定することが出来る。これにより、再生装置の再生手段は、格納されているフィルムのユーザが選択したシーンを、再生されるシーンの間に格納されたているスキップ・シーンを省略して再生する。
【０００５】
ユーザが、シーン再生時間間隔を５秒、かつスキップ再生時間間隔を９分５５秒と規定する場合、オーバービュー再生モードにおいては、フィルム再生時間１０分毎に５秒の長さのシーンが、コンピュータによって再生される。従って、フィルム再生時間が３時間のフィルム（例えば、カサブランカ）の場合、ユーザは、オーバービュー再生モードにおいて、それぞれ５秒の長さの１８個のシーンを見るであろう。しかしながら、３０分のフィルム再生時間のフィルム（例えば、１０個の部分からなるスクリーン・ドキュメンタリー）の場合、視聴者は、オーバービュー再生モードで、それぞれ５秒の長さの３個のシーンしか見ないであろう。従って、フィルムのオーバービュー時間と一致するシーン再生時間間隔の総和は、フィルム「カサブランカ」で１分３０秒となるが、１０個の部分からなるスクリーン・ドキュメンタリーではわずか１５秒となる。
【０００６】
それゆえに、公知の再生装置および公知のオーバービュー再生方法では、長いフィルムの場合、ユーザは相対的に多くのフィルム・シーンを見るが、短いフィルムの場合、ユーザは相対的に少ないフィルム・シーンしか見れず、短いフィルムの内容について充分なオーバービューが得られないという問題があることは明らかである。さらに、手動でのオーバービュー再生モードの場合、再生すべきシーンは、ユーザが、規定しなければならないという問題があることも明らかである。
【０００７】
【課題を解決するための手段】
本発明の目的は、上述した問題を解決する、第一パラグラフにおいて規定されるタイプの再生装置と、第二パラグラフにおいて規定されるタイプのオーバービュー再生方法とを提供することである。このような再生装置の場合、この目的は、格納されているフィルムに対してシーン規定手段１４によって規定されているシーン再生時間の総和が、格納されているフィルムの再生時間が異なる場合にも、常に同じフィルム・オーバービュー再生時間に基本的に一致するように、オーバービュー再生モードにおいて再生手段によって再生すべき格納されているフィルムのシーンを、独立して規定するように構成されているシーン規定手段の提供によって達成される。
【０００８】
このようなオーバービュー再生方法では、当該目的は、オーバービュー再生モードにおいて再生すべき格納されているフィルムのシーンを独立して規定する方法ステップであって、格納されているフィルムのフィルム再生時間が異なる場合においても、格納されているフィルムに対して規定されたシーン再生時間の総和が、常に同じフィルム・オーバービュー再生時間間隔に基本的に一致する、方法ステップを提供することによって達成される。
【０００９】
これは、再生装置のユーザが、実質的に常に同じフィルム・オーバービュー再生時間で、格納されているフィルムの内容をオーバービューすることが出来るという利点を有する。これは、例えば、再生装置のユーザに、１分間のフィルム・オーバービュー再生時間間隔において、格納されている長いならびに短いフィルムの内容の印象を与える「１分間の映画」機能を再生装置にもたらす。
【００１０】
請求項２および請求項１０に記載の措置は、ユーザが、フィルム・オーバービュー再生時間間隔の一回の入力によって、各格納されているフィルムを単に表面的にオーバービューしたいのかまたはより包括的にオーバービューしたいのかを、ユーザーが規定することが出来るという利点を有する。
【００１１】
請求項３に記載の措置は、このシーン規定手段が、関連したシーンの印象を与えるには短過ぎる（例えば、１秒）シーン再生時間間隔については如何なるものも規定しないという利点を有する。
【００１２】
請求項４および請求項１１に記載の措置は、再生装置のユーザに対して、ランダム・アクセス・メモリ手段によって格納されている全てのフィルムのリストが、再生装置に接続されているテレビジョン受信機に、表示されるという利点を有する。ここで、ユーザが、表示されているタイトルを次々にマークすると、フィルムのそれに関連した短い要約が、自動的に、表示されたタイトルの参考情報として表示されるであろう。これは、具体例が示されている実施例を参照して、以下に説明される。
【００１３】
請求項５に記載の措置は、ユーザが、シーン再生ポジション情報の表示により、オーバービュー再生モードにおいて再生されるシーンが、フィルムの開始、中間または終了のいずれの時点から始まるかを、直接認識することが出来るという利点を有する。
【００１４】
請求項６および請求項１２に記載の措置は、シーン規定手段が、コマーシャルによる中断（ｃｏｍｍｅｒｃｉａｌ ｂｒｅａｋ）においては如何なるシーンも規定せず、かつオーバービュー再生モードにおいてこれらのシーンを再生しないという利点を有する。実際に、このようなシーンが、格納されているフィルムの内容について印象を与えることはないであろう。
【００１５】
請求項７および請求項１３に記載の措置は、そのシーン規定手段が、オーバービュー再生モードに対して、フィルム内のシーンの変化の直前、フィルム内のシーンの変化の直後、またはフィルム内のシーンの変化から所定再生時間間隔の後にフィルム内に現れるシーンを規定することが出来るという利点を有する。
【００１６】
【発明を実施するための形態】
次に、本発明を、具体例により図示されているが、本発明がこれらに制限されることはない実施例を用いて説明する。
【００１７】
図１は、フィルムまたはテレビ番組のフィルム情報ＦＩをレコーディングまたは格納し、かつ再生または読み出す、レコーディング兼再生装置を形成するハードディスク・レコーダ１を示す。フィルム情報ＦＩは、フィルムまたはテレビ番組のピクチャ情報と音声情報を含む。
【００１８】
フィルム情報ＦＩは、また、付加情報（例えば、フィルムのタイトル、このフィルムの放送日、フィルムの開始と終了時刻）ならびにフィルムの要約も含むことが出来る。このような付加情報は、テレビジョン信号の非表示線にテレテキスト情報として、または例えば、ＥＴＳ ３００ ７０７標準に従う、”Ｅｌｅｃｔｒｏｎｉｃ Ｐｒｏｇｒａｍ Ｇｕｉｄｅ”としてアナログ・フィルム情報ＦＩ内に含ませることが出来る。しかしながら、このような付加情報を、デジタル・テレビチャンネルを介して受信させ、かつ、例えば、ＭＰＥＧ標準に従うデジタル・フィルム情報内に含ませることも出来る。
【００１９】
アンテナ２からのアンテナ信号は、受信情報ＥＩとしてハードディスク・レコーダ１に与えることが出来る。複数の周波数帯域または受信チャネルにおいて、アンテナ信号は、フィルムのフィルム情報ＦＩを含むテレビ局からのアナログ・テレビジョン信号を含む。第一受信チャネルにおいて、ハードディスク・レコーダ１は、テレビ局ＯＲＦ１のテレビ番組を受信する。
【００２０】
ハードディスク・レコーダ１は、チューナ３、モード手段４、およびキーパッド５を含む。キーパッド５を利用して、ハードディスク・レコーダ１のユーザは、ハードディスク・レコーダ１の動作モードを起動させかつ停止させることが出来る。動作モードについては、ハードディスク・レコーダ１は、レコーディング・モード、再生モード、オーバービュー再生モード、および選択モードにセットすることが出来る。キーパッド５は、対応する入力情報ＩＩをモード手段４に供給することが出来る。
【００２１】
モード手段４は、入力情報ＩＩに対応するモード情報ＢＩを、この目的のためにハードディスク・レコーダ１内に設けられている更なる手段に供給するように構成されている。モード手段４により、ハードディスク・レコーダ１のオーバービュー再生手段も起動可能となる。これにより、このハードディスク・レコーダ１のオーバービュー再生モードにおいて、ハードディスク・レコーダ１に格納されているフィルムの少なくとも２個のシーンＳが、フィルム・オーバービュー再生時間間隔ＴＵの間で通常の再生速度で連続して再生することが可能となる。この場合、スキップ再生時間間隔ＴＺの間で２個のシーンＳの間にレコードされ、かつ通常の再生速度で再生可能なスキップ・シーンＵＳは、オーバービュー再生モードの間には再生されない。ハードディスク・レコーダ１は、次いで、格納されているフィルムのシーンの再生に対するオーバービュー再生方法を実行する。オーバービュー再生モードは、以下に更に詳細に記述される。
【００２２】
ユーザは、また、この受信チャンネルのテレビジョン信号が、チューナ３によって受信情報ＥＩから選択され、かつフィルム情報ＦＩとして供給されるべき受信チャネルを識別する入力情報ＩＩを、キーパッド５によって、入力することが出来る。受信チャネルを識別するチャネル情報ＣＩは、モード手段４からチューナ３に与えることが出来る。
【００２３】
更に、ハードディスク・レコーダ１は、チューナ３によって供給されるフィルム情報ＦＩを与えることが出来るレコーディング手段６を含む。レコーディング手段６は、信号処理ステージ、アナログ／デジタル変換器、及びアナログ・テレビジョン信号を処理しかつハードディスクにレコードできるオーディオ／ビデオ・データＡＶＤを供給するために必要な更なるステージを含む。レコーディング手段６は、更に、フィルム情報ＦＩ内に含まれている付加情報を読み込み、かつレコードされたオーディオ／ビデオ・データＡＶＤに関連する、読出された付加情報をアーカイブ情報ＡＩとして供給するように構成されている読出しステージを含む。読み出しステージとしてテレテキストＩＣを有するこのようなレコーディング手段６は、一般に公知であるので、更に詳細に記述することはしない。
【００２４】
ハードディスク・レコーダ１は、更に、レコーディング手段６の読出しステージによって読み出されたアーカイブ情報ＡＩを与えることが出来るアーカイブ手段７を含む。アーカイブ手段７は、ＥＥＰＲＯＭを含み、かつ読出しステージによって供給されるアーカイブ情報ＡＩを格納するように構成されている。
【００２５】
ハードディスク・レコーダ１は、更に、ランダム・アクセス・メモリ手段を形成し、かつハードディスク・レコーダ１のレコーディング・モードにおいて、フィルム再生時間間隔ＴＷの間に通常の再生速度で再生可能であるフィルムのオーディオ／ビデオ・データＡＶＤを格納するように構成されているハードディスク８を有する。オーディオ／ビデオ・データＡＶＤをハードディスク８上のセクターに格納する方法も、また、一般に公知であるので、更に詳細に記述することはしない。
【００２６】
更に、ハードディスク・レコーダ１は、再生手段９を有する。この再生手段９は、ハードディスク８に格納されているオーディオ／ビデオ・データＡＶＤを、ハードディスク・レコーダ１の再生モードで再生するように構成されていて、再生されるフィルムは、フィルム再生時間間隔ＴＷの間、通常の再生速度で再生される。ハードディスク・レコーダ１のオーバービュー再生モードにおいて、再生手段９は、フィルムの格納されているオーディオ／ビデオ・データＡＶＤを、シーン再生時間間隔ＴＳの間では、シーン開始ポジションＳＢＩからシーン終了ポジションＳＥＩまで、通常の再生速度で再生するように構成されている。これは、ハードディスク・レコーダ１の使用についての具体例によって、更に詳細に記述される。
【００２７】
ハードディスク・レコーダ１の再生モード及びオーバービュー再生モードにおいて、再生手段９は、再生されるオーディオ／ビデオ・データＡＶＤ内に含まれるフィルム情報ＦＩを、加算器ステージ１０を介して出力端子１１に供給することが出来る。出力端子１１に供給されるフィルム情報ＦＩは、再生情報ＷＩとして出力端子１１に接続されたテレビジョン受信機１２に与えることが出来る。
更に、ハードディスク・レコーダ１は、ＯＳＤ情報ＯＳＤを加算器ステージ１０に供給するように構成されているＯＳＤ手段１３を有する。加算器ステージ１０は、再生手段９によって供給されるフィルム情報ＦＩにＯＳＤ情報ＯＳＤに含まれるテキスト情報ＴＩを重ねるように構成されている。
【００２８】
キーボード５のアーカイブ・キーを操作することによって、ユーザは、ハードディスク・レコーダ１の選択モードを起動させることが出来る。このモードにおいては、図３に示されているように、ハードディスク・レコーダ１によって格納されているフィルムのタイトル、レコーディング開始時刻、レコーディング終了時刻、及びレコーディング日付を、テレビジョン受信機１２により表示することが出来る。このような入力情報ＩＩの受信に応じて、モード手段４は、タイトル読出し情報ＴＡＩをＯＳＤ手段１３に供給する。ＯＳＤ手段１３は、これに応じて、対応するアーカイブ情報ＡＩをアーカイブ手段７から読み出しそしてこれをＯＳＤ情報ＯＳＤとして加算器手段１０に供給する。
【００２９】
更に、ハードディスク・レコーダは、格納されているフィルムに対してシーン規定手段１４により規定されるシーン再生時間間隔ＴＳの総和が、フィルム再生時間ＴＷが異なる場合にも、常に同じフィルム・オーバービュー再生時間ＴＵに基本的に一致するように、オーバービュー再生モードにおいて、再生手段９によって再生すべき格納されているフィルムのシーンを独立して規定するシーン規定手段１４を有する。
【００３０】
オーバービュー再生モードにおいて、このモードを特徴づける情報ＢＩは、シーン規定手段１４に与えることが出来る。シーン規定手段１４は、これに応じて、アーカイブ情報ＡＩをアーカイブ手段７から読み出すように構成されている。レコーディング開始時刻からアーカイブ情報ＡＩ内に含まれているレコーディング終了時刻を減ずることによって、シーン規定手段１４は、オーバービュー再生モードに対する、選択されたフィルムのフィルム再生時間ＴＷを決定する。シーン規定手段１４を用いてオーバービュー再生モードで再生すべきシーンＳを独立して規定する更なるステップは、ハードディスク・レコーダの使用についての以下の具体例により、明らかになるであろう。
【００３１】
ハードディスク・レコーダ１の使用についての第一の具体例の場合、ユーザが、５月２８日１０時３０分に、キーパッド５のレコーディング・キーの操作によって、ハードディスク・レコーダ１のレコーディング・モードを起動させ、これに応じてその情報がチューナ３によって供給されるテレビ局ＯＲＦ１のテレビ番組”ＳＰＯＲＴＳ”の第一のフィルム情報ＦＩ１が、ハードディスク８に記録されるものと仮定する。テレビ番組”ＳＰＯＲＴＳ”のレコーディングの間、テレビジョン信号の非表示線により送信されたテレテキスト情報が、読出しステージによって読み出され、かつ、タイトル情報ＴＩ ＝ ”ＳＰＯＲＴＳ”が、レコードされるテレビ番組のタイトルとして決定され、かつアーカイブ手段７によってアーカイブ情報ＡＩとしてレコーディング開始時刻およびレコーディング・データと共に、格納される。
【００３２】
テレビ番組”ＳＰＯＲＴＳ”が、１１時に終わり、これに応じて、テレビ番組”ＣＡＲＯＬＩＮＥ”の第二のフィルム情報ＦＩ２が、テレビ局ＯＲＦ１のテレビジョン信号に送信される。レコーディング手段６は、テレビジョン信号の非表示線により受信されたＶＰＳコードの変更を検出するので、新規のテレビ番組の開始を検出する。続いて、読出しステージは、タイトル情報ＴＩとしてテレテキスト情報からテレビ番組のタイトル”ＣＡＲＯＬＩＮＥ”を読み出し、そしてこれをアーカイブ情報ＡＩとしてアーカイブ手段７に供給する。アーカイブ手段７は、更に、時刻 １１：００を、テレビ番組”ＳＰＯＲＴＳ”のレコーディング終了時刻、かつテレビ番組”ＣＡＲＯＬＩＮＥ”のレコーディング開始時刻として、格納する。１４：３０に、ユーザは、キーパッド５の停止キーを操作することによってレコーディング・モードを止める。これに応じて、この時刻が、アーカイブ手段７によってテレビ番組”ＣＡＲＯＬＩＮＥ”の第二のフィルム情報ＦＩ２のレコーディング終了時刻として格納される。
【００３３】
最後に、ユーザは、再び、レコーディング・モードを５月２８日１８：３０〜１９：００の間起動させ、かつハードディスク８に”ＳＨＯＷＢＩＺ”と名付けられたテレビ番組の第三のフィルム情報ＦＩ３をレコードする。このテレビ番組のアーカイブ情報ＡＩもまた、アーカイブ手段７内に格納される。図２ａは、グラフ的にハードディスク・レコーダ１によってレコードされたフィルム情報ＦＩを示す。第一のフィルム情報ＦＩ１は、第一のフィルム再生時間ＴＷ１を有し、かつ第二のフィルム情報ＦＩ２は、第二のフィルム再生時間ＴＷ２を有する。
【００３４】
使用についての第一の具体例の場合、フィルム・オーバービュー再生時間間隔ＴＵが、シーン規定手段７により１分と規定され、この結果、「１分間の映画」機能が得られるものと、更に仮定する。このオーバービュー再生モードの場合、格納されている１つのフィルムの毎回のシーンＳは、「１分間の映画」機能によって１分で再生される。
【００３５】
さらに、オーバービュー再生モードにおいて再生される各シーンＳが１０秒のシーン再生時間ＴＳを有することが、シーン規定手段７において規定された。この結果、各々１０秒のシーン再生時間ＴＳを有する６個のシーンが、各フィルムのオーバービュー再生モードにおいて、１分のフィルム・オーバービュー再生時間ＴＵ内に再生されることになる。
【００３６】
使用についての第一の具体例の場合、次に、更に、５月３０日に、ユーザが、テレビを見る時間があり、かつハードディスク・レコーダ１によってレコードされたフィルムのうちの１つを見たいものと仮定する。ユーザは、格納されているフィルムのうちの１つを選択するためにキーパッド５のアーカイブ・キーを操作する。続いて、モード手段４が、選択モードを起動させ、そしてタイトル読出し情報ＴＡＩがＯＳＤ手段１３に供給される。ＯＳＤ手段は、次にハードディスク８に格納されているフィルムに関する、アーカイブ手段７内に格納されている情報（タイトル情報ＴＩ、レコーディング日付、レコーディング開始時刻、レコーディング終了時刻）を読み出し、そしてこの情報をＯＳＤ情報ＯＳＤとしてテレビジョン受信機１２に供給する。図３に示されるように、テレビジョン受信機１２は、第一のテキスト情報ＴＩ１としてこのＯＳＤ情報を表示する。
【００３７】
ハードディスク・レコーダ１のユーザは、次にキーパッド５のＵＰキーおよびＤＯＷＮキーを操作することによって格納されているフィルムのタイトルのリストを閲覧する。毎回、タイトルのうちの１つに、マークＭでマークがつけられる。閲覧の間、このようにマークされたタイトルは、モード手段４によって選択されたタイトルとして規定され、そしてモード手段４は、選択されたタイトルのフィルム情報ＦＩに対してオーバービュー再生モードを起動させる。
図３に示される使用についての第一の具体例の場合、第二のフィルム情報ＦＩ２のタイトル”ＣＡＲＯＬＩＮＥ”に、マークがつけられている。モード手段４は、次に、第二のフィルム情報ＦＩ２に対してオーバービュー再生モードを起動させる。これに応じ、シーン規定手段１４が、再生すべきシーンＳ７〜Ｓ１２について独立した規定を始める。図２Ｂは、オーバービュー再生モードで、フィルム情報ＦＩに対して再生されるシーン情報ＳＩを表す。
【００３８】
第一のステップで、シーン規定手段１４は、フィルム”ＣＡＲＯＬＩＮＥ”の第二のフィルム情報ＦＩ２が、通常の再生速度ではフィルム再生時間ＴＷ ＝２１０分で再生出来ることを検出する。シーン規定手段１４は、次に第二のフィルム情報ＦＩ２のレコーディング開始ポジションでの、第二のフィルム情報ＦＩ２に対する再生すべきシーンＳ７のシーン開始ポジションＳＢＩ（Ｓ７）を規定する。シーン規定手段１４は、更に、第二のフィルム情報ＦＩ２のレコーディング終了ポジションでの、第二のフィルム情報ＦＩ２に対する６番目のシーンＳ１２のシーン終了ポジションＳＥＩ（Ｓ１２）を規定する。第二のフィルム情報ＦＩ２に対する再生すべき２番目のシーンＳ８、３番目のシーンＳ９、４番目のシーンＳ１０及び５番目のシーンＳ１１のシーン開始ポジションＳＢＩ及びシーン終了ポジションＳＥＩが、シーンＳ７〜Ｓ１２の間に４１分４８秒の常に同じスキップ再生時間間隔ＴＺ１が得られるように、シーン規定手段１４によって規定される。
【００３９】
シーン規定手段１４は、続いて、前述した方法でシーン規定手段１４によって独立して規定されたＳ７〜Ｓ１２の ６個のシーンのシーン開始ポジションＳＢＩ及びシーン終了ポジションＳＥＩを、再生手段９に供給する。続いて、再生手段９は、シーン開始ポジションＳＢＩおよびシーン終了ポジションＳＥＩによって識別されるＳ７〜Ｓ１２の６個のシーンの再生を開始する。
「１分間の映画」機能は、ハードディスク・レコーダ１のユーザが、格納されているフィルムのタイトルのリストを閲覧することが出来、かつ同時にマークされたタイトルの６個のシーンを見ることが出来るという利点を有する。このようにして、ユーザは、フィルムのタイトル及びシーンＳを利用して、フィルムが彼にとって興味があるものか否か、及び彼がこのフィルム全体を視聴したいか否かを決めることが出来る。
【００４０】
ハードディスク・レコーダ１の使用についての第一の具体例の場合、ユーザは、オーバービュー再生モードでフィルム”ＣＡＲＯＬＩＮＥ”の最初の３個のシーンＳ７、Ｓ８及びＳ９を見て、彼はこのフィルムに興味が無いと決定する。ＤＯＷＮキーを操作することによって、このユーザは、続いて最初のフィルム情報ＦＩ１のタイトル”ＳＰＯＲＴＳ”をマークする。続いて、前述したように、このシーン規定手段１４は、最初のフィルム情報ＦＩ１に対してこのオーバービュー再生モードで再生すべきＳ１〜Ｓ６ の６個のシーンのシーン開始ポジションＳＢＩ及びこのシーン終了ポジションＳＥＩを規定する。シーン規定手段１４は、次に、このスキップ再生時間間隔ＴＺ２に対して５分４８秒を規定する。
【００４１】
これは、３時間３０分の長さを有するフィルム”ＣＡＲＯＬＩＮＥ”に対しても、わずか３０分の長さの短いフィルム”ＳＰＯＲＴＳ”のどちらに対しても、フィルム内容の印象が得られるように、フィルム・シーンが同じオーバービュー再生時間ＴＵ ＝ １分の間に、再生されるという利点を有する。例えば、スポーツ・レポート、ニュースおよび他のレポートのような特に短いフィルムは、広範な内容を有するので、フィルム長さに対して相対的に長いオーバービュー再生時間ＴＵが、短いフィルムについては非常に良好なオーバービューをもたらす。
【００４２】
ハードディスク・レコーダ１のＯＳＤ手段１３は、次に、オーバービュー再生モードで再生すべきシーンのフィルム内のポジションを識別するシーン再生ポジション情報ＳＰＩの出力のための出力手段を形成する。ＯＳＤ手段１３は、次いで図３に示されるバーを発生させる。このバーのフレームは、マークされたフィルム”ＣＡＲＯＬＩＮＥ”のフィルム再生時間ＴＷを表わし、かつこの白い部分Ｗは、現在オーバービュー再生モードで再生されている第二のフィルム情報ＦＩ２の最初のシーンＳ７のポジションをマークする。
【００４３】
このことは、ユーザが、再生されているシーンＳのポジションについて付加情報も知るという利点を有する。このように、ユーザは、これによりフィルム内の興味のある項目のポジションを明確に認識することが出来、かつ続いて、より容易にフィルム内のこの項目のポジションに到達することも出来る。
【００４４】
ハードディスク・レコーダ１のユーザは、次にまた、シーン規定手段１４により本来の規定とは別のフィルム・オーバービュー再生時間ＴＵを規定することも出来る。この目的のために、ユーザは、キーパッド５のキーによって所望の新規のフィルム・オーバービュー再生時間ＴＵを入力し、かつキーパッドの格納キーを操作する。
【００４５】
これは、格納されているフィルムのうちの１個の選択のためにごくわずかな時間しか費やしたくないユーザが、例えば、フィルム・オーバービュー再生時間ＴＵを３０秒にセットすることが出来る利点を有する。同様に、例えば、ユーザは、彼が、全フィルムの視聴を決める前に、格納されているフィルムに関するより多くの情報を得たい場合、フィルム・オーバービュー再生時間ＴＵを３分にセットすることも出来る。
【００４６】
シーン規定手段が、これに代えて、前述されていない全く別の方法でオーバービュー再生モードで再生すべきシーンを規定することが出来ることに留意すべきである。この場合、シーンの規定に際し、フィルムあたりのシーンの数を、常に同じとし、シーン再生時間ＴＳを、例えば、１．５秒または３０秒とすることが出来る。同様に、フィルムのシーンは、各フィルムに対して、シーン再生時間ＴＳを異ならせ、フィルム・オーバービュー再生時間ＴＵを常に実質的に等しくなるように、規定することも出来る。
【００４７】
しかしながら、シーン再生時間ＴＳを、一つの最小シーン再生時間ＴＭ、例えば、１秒より常に長くすることは、シーン再生時間ＴＳ が１秒より短いシーンについては、ユーザがこれらのシーンの内容を把握することが困難であるので、特に有利である。
【００４８】
同様に、シーンがシーン規定手段によって規定される場合、スキップ再生時間間隔ＴＺを、実質的に各フィルムに対して等しくさせ、かつオーバービュー再生モードで再生すべきシーンＳの数ならびにそれらのシーン再生時間ＴＳを、これに対応させて構成することも出来る。さらに、フィルムのシーンの間で常に等しいスキップ再生時間間隔ＴＺを規定することは、必ずしも必要でない。
【００４９】
選択モードにおいて図３に示されるピクチャ情報ＢＩ１が、ハードディスク・レコーダ１によって再生情報ＷＩとして供給される場合、ユーザは、キーパッド５の情報キーを操作してマークされたタイトルのフィルムの要約を、テレビジョン受信機１２に表示させることが出来る。この要約は、アーカイブ手段７から読み出され、かつテレビジョン受信機１２によってテキスト情報として表示される。
【００５０】
ハードディスク・レコーダ１の使用についての第２の具体例の場合、ユーザは情報キーを操作して、「ＡＫＴＥ Ｘ」（Ｘ ＦＩＬＥ）と名付けられたフィルムの要約を表示させる。これに応答して、ＯＳＤ手段１３は、アーカイブ手段７のメモリから、テキスト情報ＴＩ２を読み出し、かつこれをテレビジョン受信機１２に再生情報ＷＩとして供給する。テレビジョン受信機１２は、続いて図４に示されるピクチャ情報ＢＩ２を表示する。
【００５１】
図４に示されるピクチャ情報ＢＩ２は、更に４個のシーン再生領域ＳＷ１、ＳＷ２、ＳＷ３及びＳＷ４を有する。これらのシーン再生領域においては、シーン規定手段１４によって規定されるシーンＳが、パラレルにすなわち同時に再生される。従って、シーン規定手段１４は、オーバービュー再生モードに対し、シーン再生時間ＴＳの終了の後、シーン再生領域において間断なく繰り返えされるフィルム「ＡＫＴＥ Ｘ」の規定された４個のシーンＳを有することが出来る。同様に、４個毎パラレルにすなわち同時に、シーン再生領域において、交互に再生される５個以上のシーンＳを、シーン規定手段１４によって規定することも出来る。
【００５２】
これは、ユーザが、格納されているフィルム内容についての印象を非常に短時間で得ることが出来るという利点を有する。従って、例えば、各３秒のシーン再生時間ＴＳを有する２０個のシーンは、１分のフィルム・オーバービュー時間ＴＵによって、わずか１５秒で再生することが出来るであろう。
【００５３】
本発明の再生装置は、また、格納されているオーディオ／ビデオ・データＡＶＤ内のコマーシャルによる中断を検出するコマーシャルによる中断検出手段を含むことが出来ることに留意すべきである。このようなコマーシャルによる中断検出手段は、ずっと以前から公知であり、例えば、多数放送局がコマーシャルによる中断の間、ロゴを表示しないという事実を利用する。
【００５４】
コマーシャルによる中断検出手段を有するこのような再生装置において、シーン規定手段が、オーバービュー再生モードで再生手段によって再生すべきシーンＳを、コマーシャルによる中断がスキップ・シーンＵＳ内に現れるように、規定するように構成される場合、これは特に有利である。
【００５５】
このように、オーバービュー再生モードで再生されるシーンが、実際に強調されたフィルムのシーンのみを含み、かつフィルムの部分の間に挿入される如何なるコマーシャルによる中断のシーンも含まないことが、達成されることは、有利である。
【００５６】
本発明の再生装置は、また、格納されているフィルム内にシーンの変化を検出するシーンの変化検出手段を含むことが出来ることに留意すべきである。このようなシーンの変化は、例えば、シーンの終わりに時折見受けられるフェードアウト、及び次のシーンの初めのフェードインによって検出することが出来る。フィルム内の多くのシーンの変化は、また、フィルムのシーンの間に挿入された黒いフレームの検出によって検出することも出来る。
【００５７】
フィルムにアクションが多く含まれる場合、しばしば短いシーンが極めて短時間に連続して含まれるので、シーン規定手段が、検出されたシーンの変化に応じて、オーバービュー再生モードで再生手段によって再生すべき格納されているフィルム・シーンを規定する場合、これは、特に有利である。
ランダム・アクセス・メモリ手段が、例えば、フィルムのオーディオ／ビデオ・データＡＶＤ、及びオプションとして、このフィルムに関するさらに追加の情報を格納するＤＶＤを含むことができることにも留意すべきである。同様に、ランダム・アクセス・メモリ手段を、フラッシュＲＡＭによって構成することも出来る。
【００５８】
各フィルムに対するフィルム・オーバービュー再生時間間隔が、正確に同じ長さを有する必要はないことに留意すべきである。従って、フィルムのフィルム・オーバービュー再生時間間隔についての、例えば、２０％までのずれは、なお実質的に等しいものと考えられる。
【００５９】
本発明のシーン規定手段が、オーバービュー再生モードで、２倍、４倍または２０倍の再生速度で再生されるシーンのシーン開始ポジションおよびシーン終了ポジションを独立して規定するように構成することもできることに留意すべきである。１倍の再生速度でオーバービュー再生モードに対するシーンのシーン開始ポジションおよびシーン終了ポジションを決定する上述の方法に基づいて、当業者が、オーバービュー再生モードで、例えば、２倍、４倍または２０倍の再生速度で、再生すべきシーンに対してこのようなシーン開始ポジション及びシーン終了ポジションを決定することも、また、可能であろう。これは、より長いシーンを同じフィルム・オーバービュー再生モードで再生することが出来、そしてユーザが、格納されているフィルム内容のより充分な印象を得るという利点をもたらす。
【図面の簡単な説明】
【図１】オーバービュー再生モードで、ハードディスク・レコーダによって格納されているフィルムのいくつかのシーンを再生するように構成されているハードディスク・レコーダを示す。
【図２】ハードディスク・レコーダによって格納されている２個のフィルムのフィルム情報と、オーバービュー再生モードでハードディスク・レコーダによって再生されるシーンとをグラフ的に示す。
【図３】ハードディスク・レコーダに接続されたテレビジョン受信機によって表示される、ハードディスク・レコーダによって格納されているフィルムのタイトルのリスト、およびこのリストの背景に、オーバービュー再生モードで再生される、ユーザによってマークが付けられたフィルムのシーンのタイトルを含む、再生情報を示す。
【図４】ハードディスク・レコーダに接続されたテレビジョン受信機によって表示される、ハードディスク・レコーダによって格納されているフィルムのタイトル、このフィルムの要約、およびこのリストの背景に、オーバービュー再生モードにおいて再生されるフィルムの４個のシーンを含む、再生情報を示す。
【符号の説明】
１　　ハードディスク・レコーダ
５　　キーパッド
ＦＩ　 フィルム情報
ＴＷ１ フィルム再生時間
ＵＳ　スキップ・シーン
ＳＩ　 シーン情報
ＴＩ１　フィルムのタイトル情報
ＳＰＩ　シーン再生ポジション情報
ＢＩ２　ピクチャ情報
ＳＷ１　シーン再生領域
【図１】
2004507986.tif 000003
【図２】
2004507986.tif 000004
【図３】
2004507986.tif 000005
【図４】
2004507986.tif 000006
【国際公開パンフレット】
2004507986.tif 000007
2004507986.tif 000008
2004507986.tif 000009
2004507986.tif 000010
2004507986.tif 000011
2004507986.tif 000012
2004507986.tif 000013
2004507986.tif 000014
2004507986.tif 000015
2004507986.tif 000016
2004507986.tif 000017
2004507986.tif 000018
2004507986.tif 000019
2004507986.tif 000020
2004507986.tif 000021
2004507986.tif 000022
2004507986.tif 000023
2004507986.tif 000024
2004507986.tif 000025
2004507986.tif 000026
【国際調査報告】
2004507986.tif 000027
2004507986.tif 000028
2004507986.tif 000029